(57)【特許請求の範囲】
【請求項１】
本体と、当該本体に対し着脱可能な追加モジュールを含む電子機器であって、
前記本体の主面には電池を収納する開口部が形成され、
前記主面から略垂直に起立する垂直面が前記開口部近くに形成され、当該垂直面に凹部が形成されるとともに、当該凹部の内部に第１の端子が形成され、
前記垂直面の前記第１の端子と接続する前記追加モジュールの接続面に第２の端子が形成され、
前記追加モジュールが前記本体に取り付けられた状態において、前記第２の端子が前記凹部の内部に位置し、かつ前記第１の端子に接続し、前記電池が収納された状態で、前記開口部を前記追加モジュールが覆い、当該追加モジュールの係合部が前記筐体の一部および前記電池の周縁の一部の双方に係合し、
前記係合部は、追加モジュールの周縁から当該追加モジュールの内側方向に突出した係合突条であり、
前記筐体の一部が、当該筐体の周縁に形成された筐体凹部であり、
前記電池の周縁の一部が、当該電池の周縁から外側方向に突出した突出片を構成し、
前記開口部に前記電池を収納した状態で、前記筐体凹部の一面と前記突出片の一面とが隣接して連続面を形成し、
前記筐体に前記追加モジュールが取り付けられた状態で、前記係合突条が前記連続面に係合する、
電子機器。
【請求項２】
請求項１に記載の電子機器であって、
前記接続面における前記第２の端子の周囲に変形可能な防水部材が設けられ、
前記追加モジュールが前記本体に取り付けられた状態において、前記防水部材が前記凹
部の内部に位置する、
電子機器。
【請求項３】
請求項２に記載の電子機器であって、
前記防水部材が、Ｏ−リング形状のガスケットである、
電子機器。
【請求項４】
請求項１に記載の電子機器であって、
前記第１の端子および前記第２の端子が櫛歯型電極である、
電子機器。
【請求項５】
請求項１に記載の電子機器であって、前記垂直面の内部に、厚みを有する部品を配置し
た、
電子機器。
【発明の詳細な説明】
【技術分野】
【０００１】
本開示は、用途に応じて様々な追加モジュールを追加させることが可能な電子機器に関する。
【背景技術】
【０００２】
携帯型の電子機器等に追加モジュールを追加させ機能アップを図ることが知られている（特許文献１参照）。
【０００３】
特許文献１は、携帯電話本体に追加モジュール被係止部を介して着脱自在に係止し、本体側追加モジュール機能コネクタと追加モジュール機能コネクタとを電気的に接続する追加モジュールを実現させた携帯電話装置であり、追加モジュールを装着して一体化し、追加モジュールの機能を付加する場合の携帯性を向上することが開示されている。
【先行技術文献】
【特許文献】
【０００４】
【特許文献１】特開平９−３６９４１号公報
【発明の概要】
【発明が解決しようとする課題】
【０００５】
しかしながら、特許文献１に記載された構成では、追加モジュールを単に追加モジュール被係止部である２本のガイドレールで本体と接続しているだけであり、接続後の衝撃等で容易に外れてしまい、また防水性も考慮されていないという課題がある。
【０００６】
本開示は、追加モジュールの着脱容易性を維持しながら、追加モジュールの装着後の係合を強化した電子機器を提供することを目的とする。
【課題を解決するための手段】
【０００７】
本開示の電子機器は、本体と、当該本体に対し着脱可能な追加モジュールを含む電子機器であって、前記本体の主面には電池を収納する開口部が形成され、前記主面から略垂直に起立する垂直面が前記開口部近くに形成され、当該垂直面に凹部が形成されるとともに、当該凹部の内部に第１の端子が形成され、前記垂直面の前記第１の端子と接続する前記追加モジュールの接続面に第２の端子が形成され、前記追加モジュールが前記本体に取り付けられた状態において、前記第２の端子が前記凹部の内部に位置し、かつ前記第１の端子に接続し、前記電池が収納された状態で、前記開口部を前記追加モジュールが覆う。
【０００８】
また、本開示の電子機器は、筐体と、当該筐体に収納された電池と、前記筐体に対し取り付け可能であって、前記電池を直接カバーする内側電池蓋と、前記筐体に対し取り付け可能であって、前記電池をカバーした状態の前記内側電池蓋をカバーする追加モジュールと、を備える電子機器であって、前記内側電池蓋が前記電池を直接カバーし、かつ前記筐体に前記追加モジュールが取り付けられた状態において、当該追加モジュールの係合部が前記筐体の一部および前記内側電池蓋の一部の双方に係合する。
【０００９】
また、本開示の電子機器は、筐体と、当該筐体に収納された電池と、前記筐体に対し取り付け可能であって、前記電池をカバーする追加モジュールと、を備える電子機器であって、前記筐体の一部が、当該筐体に形成された筐体凹部であり、前記電池の周縁の一部が、外側方向に突出した突出片を構成し、前記追加モジュールの裏面には、前記追加モジュールの厚み方向に突出した係合突条が設けられ、前記電池を前記筐体に収納した状態において、前記突出片が前記筐体凹部の内部に収納され、前記筐体に前記追加モジュールが取り付けられた状態において、前記係合突条が前記筐体凹部の一面と前記突出片の一面との間に挟まれた状態で係合する。
【００１０】
また、本開示の電子機器は、筐体と、当該筐体に収納された電池と、前記筐体に対し相対的に開閉可能に取り付けられるとともに、閉じ状態で前記電池をカバーする電池蓋と、を備える電子機器であって、前記電池蓋は、前記筐体に設けられた二つの案内溝の各々に対し、回転かつ移動可能に係合する二つのヒンジ軸と、前記二つのヒンジ軸の間に設けられ、前記閉じ状態において、前記筐体の一部と密着する突状部と、を有し、前記電池蓋のヒンジ軸は、前記閉じ状態から開き状態に遷移する過程において、および前記開き状態から前記閉じ状態に遷移する過程において、回転しながら前記案内溝の壁に摺動しつつ、当該案内溝の内部を移動する。
【発明の効果】
【００１１】
本開示によれば、垂直面で追加モジュールと本体との電気的接続が行われ、所定の限られた面積に接続個所を限定することが可能となり、本体の長手方向に沿って追加モジュールをスライド接続可能とすることができる。また、第２の端子が凹部内部に位置し第１の端子と接続するため、耐衝撃性が強い等、追加モジュールを本体に強固に取り付けることが可能となる。そして、容易かつ確実に追加モジュールを搭載できる電子機器を提供できる。
【図面の簡単な説明】
【００１２】
【図１】本開示の一実施形態に係る電子機器の正面斜視図。
【図２】第１の実施形態に係る電子機器の背面分解斜視図。
【図３】第１の実施形態に係る追加モジュールの背面図。
【図４】第１の実施形態に係る電子機器の内側電池蓋の組み付け手順を示し、（ａ）は、組み付け開始時の斜視図、（ｂ）は、組み付け中間時の斜視図、（ｃ）は、組み付け完了時の斜視図。
【図５】（ａ）は、図４（ａ）のＡ−Ａ断面図、（ｂ）は、（ａ）のＤ部拡大図。
【図６】（ａ）は、図４（ａ）のＢ−Ｂ断面図、（ｂ）は、（ａ）のＥ部拡大図
【図７】（ａ）は、図４（ｂ）のＡ−Ａ断面図、（ｂ）は、図７（ａ）のＦ部拡大図、（ｃ）は、図４（ｂ）のＢ−Ｂ断面図、（ｄ）は、図７（ｃ）のＧ部拡大図。
【図８】（ａ）は、図４（ｃ）のＡ−Ａ断面図、（ｂ）は、図８（ａ）のＨ部拡大図、（ｃ）は、図４（ｃ）のＢ−Ｂ断面図、（ｄ）は、図８（ｃ）のＩ部拡大図。
【図９】第１の実施形態に係る電子機器の追加モジュールの組み付け手順を示し、（ａ）は、組み付け開始時の斜視図、（ｂ）は、組み付け中間時の斜視図、（ｃ）は、組み付け完了時の斜視図。
【図１０】（ａ）は、図９（ａ）の各断面、（ｂ）は、図９（ｂ）の各断面、（ｃ）は、図９（ｃ）の各断面であり、（ａ）〜（ｃ）において（１）Ａ−Ａ断面図、（２）Ｂ−Ｂ断面図、（３）Ｃ−Ｃ断面図。
【図１１】第２の実施形態に係る電子機器の背面分解斜視図。
【図１２】第２の実施形態に係る電子機器の組み付けにおける背面斜視図。
【図１３】第２の実施形態に係り、（ａ）は、本体の第１の端子部分の拡大図、（ｂ）は、追加モジュールの第２端子部分の拡大図。
【図１４】図１２のＡ−Ａ断面図。
【図１５】他の実施形態に係る電子機器の背面分解斜視図。
【発明を実施するための形態】
【００１３】
以下、適宜図面を参照しながら、本開示に係る電子機器を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１４】
以下、本開示を実施するための好適な本実施形態について、図面を参照して詳細に説明する。
【００１５】
図１は、本開示の一実施形態に係る電子機器の正面斜視図、図２は第１の実施形態の背面分解斜視図、図３は、追加モジュールの背面斜視図であり、図１〜図３を用いて電子機器の第１の実施形態の一例を詳述する。
【００１６】
電子機器１は、例えばスマートフォン等の携帯電話、タブレット等の携帯端末、デジタルカメラ、携帯型パーソナルコンピュータ、無線機等、であり、個人用、業務用を含み、本体１０と、本体１０に着脱自在の内側電池蓋３０と追加モジュール５０とを備える。
【００１７】
本体１０は、主として樹脂からなり略直方体の筐体１１と、筐体１１の正面側には、液晶パネルや有機ＥＬパネル等のディスプレイからなる表示部１２が収納され、筐体１１の背面側には電池１３が収納されている。筐体１１の背面側の平坦面を主面１４とし、主面１４に形成された開口部１５に電池１３が収納され、主面１４から略垂直に起立する垂直面１６が開口部１５の近傍に形成され、垂直面１６の頂部から筐体１１の先端部に向かって傾斜する傾斜面１７が形成されている。
【００１８】
垂直面１６と傾斜面１７とで形成される空間内には、厚みを有する部品１８、例えばカメラ１８ａ、フラッシュ１８ｂ、バーコードリーダーを備えるバーコードモジュール１８ｃ等が収納されている。また、垂直面１６には凹部１９が形成され、凹部１９の内部に各端子素子が横方向に並列に配置される櫛歯型電極である第１の端子２０が形成されている。
【００１９】
筐体１１の主面１４側の筐体１１の周縁には複数の筐体凹部２１が形成されている。本実施形態では、垂直面１６と対応する筐体の長手方向の端面側には、左右にそれぞれ略同形状の第１の筐体凹部２１ａと第２の筐体凹部２１ｂが形成され、略中央部に第１のおよび第２の筐体凹部２１ａ、２１ｂと形状が異なる第３の筐体凹部２１ｃが形成されている。更に、筐体１１の両側には、第４の筐体凹部２１ｄが複数形成され、第４の筐体凹部２１ｄは、窪み部２１ｄ１と上部が筐体１１の一部で覆われた空洞部２１ｄ２が設けられている。
【００２０】
垂直面１６近傍の筐体１１には、左右の略側部に断面略円弧状の案内溝２２がそれぞれ設けられ、略中央部に凸部２３が設けられている。また。垂直面１６の凹部１９の両側にはそれぞれ挿入孔２４が形成されている。
【００２１】
内側電池蓋３０は、筐体１１に対して相対的に開閉可能に取り付けられ、閉じ状態で電池１３を直接カバーする樹脂成形品等から成る略長方形状の電池蓋であり、一端の両側に一対の断面略円形状のヒンジ軸３１が設けられている。そして、二つのヒンジ軸３１の間であって、当該一端の略中央部に突状部３２が設けられている。また、他端と両側の周縁には複数の突出片３３が突出して設けられている。他端の両側には、断面が略逆Ｔ字状の第１のおよび第２の突出片３３ａ、３３ｂが設けられ、他端の略中央部には断面略コ字状の第３の突出片３３ｃが設けられ、両側には複数の断面略Ｌ字状の第４の突出片３３ｄが設けられている。
【００２２】
追加モジュール５０は、筐体１１に対して取り付け可能であり、電池１３をカバーした状態の内側電池蓋３０をカバーし、第１の実施形態では外側電池蓋である。追加モジュール５０は、樹脂等の成形品から成り略直方形状をなし、平坦面５１と平坦面５１から起立する起立面５２とを有する。起立面５２の先端には、前方に突出する複数の挿入片５３が形成され、背面側には複数の係合部５４が形成されている。係合部５４は、追加モジュール５０の周縁から追加モジュール５０の内側方向に突出した複数の第１の係合突条５４ａと、端面側近傍から追加モジュール５０の厚み方向に突出し、二股形状の一対の第２の係合突条５４ｂと、一対の第２の係合突条５４ｂを結んだ略直線上をスライド可能な第３の係合突条５４ｃとを有している。
【００２３】
図４は、本体と内側電池蓋の組み付け手順の説明図、図５から図８は図４のＡ−Ａ断面図およびＢ−Ｂ断面図である。図４〜図８を用いて、内側電池蓋の組み付けを詳述する。
【００２４】
まず、内側電池蓋３０の二つのヒンジ軸３１を筐体１１に設けられた二つの案内溝２２に係合する（図４（ａ）、図５参照）。組み付け開始時は、ヒンジ軸３１の周縁が案内溝２２の壁２２ａの開口近傍に接した状態にあるため内側電池蓋３０は、本体１０に対して垂直よりやや垂直面１６側に寄りかかった状態で、本体１０の上方向に起立している。内側電池蓋３０が開き状態である位置関係において、筐体１１の開口部１５が全体に広がった状態と成り、電池１３の交換が容易となる。
【００２５】
次に、内側電池蓋３０のヒンジ軸３１の他端側を押すと、ヒンジ軸３１を中心にヒンジ軸３１の周縁が案内溝２２の壁２２ａに摺動しつつ、案内溝２２の内部方向に移動する（図４（ｂ）、図７（ａ）、（ｂ）参照）。当該組み付け過程において、内側電池蓋３０が、内側電池蓋３０の突状部３２の一面が、筐体１１の凸部２３の一面と当接し始める（図７（ｃ）、（ｄ）参照）。
【００２６】
そして、内側電池蓋３０が閉め状態である組み付け完了時に、ヒンジ軸３１の周縁は案内溝２２の壁２２ａに周接し、内側電池蓋３０の各突出片３３はそれぞれ筐体１１の各筐体凹部２１の内部に収納される（図４（ｃ）、図８（ａ）、（ｂ）参照）。内側電池蓋３０が閉め状態において、突状部３２の一面が凸部２３に密着するため、内側電池蓋３０は、電池１３を完全にカバーし、筐体１１の開口部１５に密着静止する（図８（ｃ）、（ｄ）参照）。内側電池蓋３０の閉め状態において、内側電池蓋３０の周縁であって、電池１３の側に面した面に設けられ、Ｏ−リング形状のガスケットからなる防水部材３５により、筐体１１の開口部１５の防水が図れる。
【００２７】
上述したように、内側電池蓋３０のヒンジ軸３１は、閉じ状態から開き状態に遷移する過程、および開き状態から閉じ状態に遷移する過程において、回転しながら案内溝２２の壁２２ａに摺動しつつ、案内溝２２の内部を移動する。当該案内溝２２の内部を移動することにより、ヒンジ軸３１は、閉じ状態から開き状態に遷移する過程、および開き状態から閉じ状態に遷移する過程において、回転しながらヒンジ軸３１の回転軸方向に垂直な方向に移動することが可能となる。当該垂直な方向とは、具体的には筐体１１の厚み方向（Ｚ方向）と筐体１１の長手方向（Ｙ方向）である（図４（ｃ）の矢印方向参照）。
【００２８】
筐体１１の案内溝２２内部において内側電池蓋３０のヒンジ軸３１が回動するため、電池１３の交換において内側電池蓋３０を筐体１１から取り外す必要が無い。また、ヒンジ軸３１の回転において、ヒンジ軸３１の回転方向に垂直な方向に内側電池蓋３０が移動するため、内側電池蓋３０が十分に開くことを可能とし、取り外す部品を少なくして使い勝手を向上させている。
【００２９】
図９は、本体と追加モジュールの組み立て手順の説明図、図１０は図９のＡ−Ａ断面図、Ｂ−Ｂ断面図、Ｃ−Ｃ断面図である。図９および図１０を用いて、追加モジュールの組み付けを詳述する。特に、図１０を用いて筐体凹部２１と係合部５４の関係を説明するが、一例として、Ａ−Ａ断面、Ｂ−Ｂ断面では第４の筐体凹部２１ｄと第１の係合突条５４ａとの関係、Ｃ−Ｃ断面では、第２の筐体凹部２１ｂと第２の係合突条５４ｂとの関係を述べる。
【００３０】
追加モジュール５０は、本体１０に対してやや後方からスライドさせながら取り付ける。追加モジュール５０の各係合部５４を筐体１１の各筐体凹部２１上に位置づける（図９（ａ）、図１０（ａ）参照）。特に、第４の筐体凹部２１ｄにおいては、窪み部２１ｄ１に内側電池蓋３０の第４の突出片３３ｄが収納されており、当該収納状態において第４の突出片３３ｄの上面と空洞部２１ｄ２の底面とで連続面Ｘ−Ｘが形成されている（図１０（ａ）（１）参照）。即ち、内側電池蓋３０が電池１３をカバーした状態において、筐体凹部２１の一面（特に空洞部２１ｄ２の底面）と突出片３３の一面（特に第４の突出片３３ｄの上面）とが隣接して連続面Ｘ−Ｘを形成している。また、図示していないが、第３の筐体凹部２１ｃの一面と第３の突出片３３ｃの一面も隣接して連続面を形成している。
【００３１】
次に、追加モジュール５０の各係合部５４を筐体１１の各筐体凹部２１に収納する（図９（ｂ）、図１０（ｂ）参照）。その際、追加モジュール５０の挿入片５３が筐体１１の挿入孔２４に対応した位置にある。第４の筐体凹部２１ｄにおいては、第１の係合突条５４ａの下面が内側電池蓋３０の第４の突出片３３ｄの上面と当接する（図１０（ｂ）（１）（２）参照）。また、第２の筐体凹部２１ｂにおいては、内側電池蓋３０の第２の突出片３３ｂの一部が突出状態で収納されているため、当該突出部分３３ｂ１の上に二股形状の第２の係合突条５４ｂの溝部５４ｂ１が配置される（図１０（ｂ）（３）参照）。また、図示していないが、第３の係合突条５４ｃの下面が第３の筐体凹部２１ｃの上面と当接する。
【００３２】
そして、追加モジュール５０の起立面５２を本体１０の垂直面１６に当接するよう追加モジュール５０を本体１０の開口部１５上をスライドさせる（図９（ｃ）、図１０（ｃ）参照）。それと同時に、追加モジュール５０の挿入片５３が筐体１１の挿入孔２４に挿入される。第４の筐体凹部２１ｄにおいては、第１の係合突条５４ａの下面が連続面Ｘ−Ｘ上をスライドして第１の係合突条５４ａの先端部分が空洞部２１ｄ２に挿入される（図１０（ｃ）（１）（２）参照）。また、第２の筐体凹部２１ｂにおいては、第２の突出片３３ｂの突出部分３３ｂ１を第２の係合突条５４ｂがスライドして、第２の筐体凹部２１ｂに収納される（図１０（ｃ）（３）参照）。特に、第２の係合突条５４ｂの突出条５４ｂ２が、第２の筐体凹部２１ｂの一面である係合面２１ｂ１（図１０（ａ）（３）参照）と、第２の突出片３３ｂの一面である係合面３３ｂ２（図１０（ａ）（３）参照）との間をスライドした後、係合面２１ｂ１と係合面３３ｂ２との間に挟まれた状態で係合される。また、図示していないが、第３の係合突条５４ｃをスライドさせることで、第３の係合突条５４ｃの一部が、第３の筐体凹部２１ｃの内側側面に設けられた空洞部内に挿入されることで係合する。
【００３３】
筐体１１に追加モジュール５０が取り付けられた状態において、各係合突条５４は、各筐体凹部２１の一面と内側電池蓋３０の突出片３３の一面で囲まれた状態で係合するため、電子機器１の落下等による衝撃が加わっても容易に追加モジュール５０は本体１０から離脱しない。また、追加モジュール５０の係合部５４（第１の係合突条５４ａ、第２の係合突条５４ｂ）が、電池１３を覆った内側電池蓋３０の一部である突出片３３と筐体１１の一部である筐体凹部２１の双方に係合された状態となる。特に、第１の係合突条５４ａの下面が、空洞部２１ｄ２の底面と第４の突出片３３ｄの上面とにより形成される連続面Ｘ−Ｘに係合する。また、第２の係合突条５４ｂの突出条５４ｂ２が、第２の筐体凹部２１ｂの係合面２１ｂ１と第２の突出片３３ｂの係合面３３ｂ２との間に挟まれた状態で係合される。よって、内側電池蓋３０を厚くしたりせずとも、確実に電池１３を覆うことが可能となり、内側電池蓋３０に設けられた防水部材３５が正常に変形して、防水性能を強化することが可能である。そして、内側電池蓋３０の突出片３３の一面を利用して、追加モジュール５０の周縁がスムーズにスライドするため、追加モジュール５０の取り付けが容易である。
【００３４】
図１１は、第２の実施形態の背面分解斜視図、図１２は、第２の実施形態の取り付け斜視図、図１３は、第１の端子、第２の端子の拡大図、図１４は図１２のＡ−Ａ断面図である。図１１から図１４を用いて、電子機器１の第２の実施形態を詳述する。
【００３５】
第２の実施形態では、追加モジュール５０が第１の実施形態における外側電池蓋を外して本体１０に取り付けるモジュールであり、例えば追加バッテリー、ＲＦＩＤ（radio frequency identification）、磁気カードリーダー、ＩＣカードリーダー等である。第２の実施形態において、第１の実施形態と相違する部品は追加モジュール５０であり、本体１０および内側電池蓋３０は同一の実施形態であるため、説明を省略する。また。第２の実施形態の追加モジュール５０の本体１０への取り付けは基本的に同様であるため、同一構成は同一符号を用いて説明する。
【００３６】
追加モジュール５０は、図１２に示すように第１の実施形態と同様に、本体１０の開口部１５上をスライドして本体１０に取り付ける。
【００３７】
追加モジュール５０には、追加モジュール５０の起立面５２から下方に向かって本体１０の垂直面１６と当接する接続面５５が形成され、接続面５５には、本体１０の凹部１９と係合する突出部５６が形成されている。また、突出部５６には、第１の端子２０と電気的に接続する各端子素子が横方向に並列に配置される櫛歯型電極である第２の端子６０が形成されている。そして、突出部５６の周縁には、変形可能でＯ−リング形状のガスケットからなる防水部材５７が設けられている。
【００３８】
図１４に示すように、追加モジュール５０が本体１０に取り付けられた状態において、第２の端子６０は、第１の端子２０と電気的に接続して凹部１９の内部に位置し、同時に防水部材５７も凹部１９の内部に位置する。この状態において、本体１０と追加モジュール５０とは確実に取り付けられ、電子機器１の落下等による衝撃があっても容易に追加モジュール５０は本体１０から離脱しない。そして、本体１０と追加モジュール５０との間で安定した防水性能が確保できる。
【００３９】
以上により、本実施形態の電子機器１は、本体１０と、本体１０に対し着脱可能な追加モジュール５０を含む電子機器１であって、本体１０の主面１４には電池１３を収納する開口部１５が形成され、主面１４から略垂直に起立する垂直面１６が開口部１５近くに形成され、垂直面１６に凹部１９が形成されるとともに、凹部１９の内部に第１の端子２０が形成され、垂直面１６の第１の端子２０と接続する追加モジュール５０の接続面５５に第２の端子６０が形成され、追加モジュール５０が本体１０に取り付けられた状態において、第２の端子６０が凹部１９の内部に位置し、かつ第１の端子２０に接続し、電池１３が収納された状態で、開口部１５を追加モジュール５０が覆う。
【００４０】
これにより、垂直面１６で追加モジュール５０と本体１０との電気的接続が行われ、所定の限られた面積に接続個所を限定することが可能となり、本体１０の長手方向に沿って追加モジュール５０をスライド接続可能とすることができる。また、第２の端子６０が凹部１９内部に位置し第１の端子２０と接続するため、耐衝撃性が強い等、追加モジュール５０を本体１０に強固に取り付けることが可能となる。そして、容易かつ確実に追加モジュール５０を搭載できる電子機器１を提供できる。
【００４１】
また、接続面５５における第２の端子６０の周囲に変形可能な防水部材５７が設けられ、追加モジュール５０が本体１０に取り付けられた状態において、防水部材５７が凹部１９の内部に位置するようにしてもよい。これにより、本体１０と追加モジュール５０との防水性能が強化できる。
【００４２】
また、防水部材５７が、Ｏ−リング形状のガスケットであってもよい。これにより、防水部材５７の取り扱いが容易となり防水性能が向上する。
【００４３】
また、第１の端子２０および第２の端子６０が櫛歯型電極であってもよい。これにより、第１の端子２０と第２の端子６０の電気的接続を強化させ、追加モジュール５０の接続後の振動等による電気的不良を解消させている。
【００４４】
また、垂直面１６の内部に、厚みを有する部品１８を配置することができる。ここで、図１４において、長さＴは、筐体１１の厚み方向（Ｚ方向）と平行な方向における、厚みを有する部品１８の一例であるバーコードモジュール１８ｃの厚みを示す。これにより、所定の大きさの厚み（図１４では長さＴ）を有する厚みのある部品１８を本体の垂直面１６内部に集約させ、本体１０の主要部分を薄型化し、電池１３の薄型化に対応することが可能である。
【００４５】
また、本実施形態の電子機器１は、筐体１１と、筐体１１に収納された電池１３と、筐体１１に対し取り付け可能であって、電池１３を直接カバーする内側電池蓋３０と、筐体１１に対し取り付け可能であって、電池１３をカバーした状態の内側電池蓋３０をカバーする追加モジュール５０と、を備える電子機器１であって、内側電池蓋３０が電池１３を直接カバーし、かつ筐体１１に追加モジュール５０が取り付けられた状態において、追加モジュール５０の係合部５４が筐体１１の一部および内側電池蓋３０の一部の双方に係合する。
【００４６】
これにより、追加モジュール５０が筐体１１の一部および内側電池蓋３０の一部の双方に係合され、追加モジュール５０を、筐体１１および内側電池蓋３０を含む本体１０に容易かつ確実に固定することが可能となる。
【００４７】
なお、本実施形態の電子機器１では、追加モジュール５０が内側電池蓋３０の一部に係合する構成としたが、図１５に示す他の実施形態の様に、内側電池蓋３０の構成をなくし、突出片３３を電池１３に設ける構成にしてもよい。すなわち、図１５に示した他の実施形態では、図１１の構成と比較すると、内側電池蓋３０が存在しない。そして、電池１３の周縁の一部が、外側方向に突出した突出片３３を構成している。図１５では、内側電池蓋３０と同様に、第１の突出片３３ａ、第２の突出片３３ｂ、第３の突出片３３ｃ、第４の突出片３３ｄが電池１３に設けられている。ただし、必ずしもこれらすべての突出片が設けられる必要はない。特に電池１３の周縁の一部が第３の突出片３３ｃを構成している場合、電池１３を筐体１１に収納した状態において、第３の突出片３３ｃが第３の筐体凹部２１ｃの内部に収納され、筐体１１に追加モジュール５０が取り付けられた状態において、追加モジュール５０の裏面の第３の係合突条５４ｃが第３の筐体凹部２１ｃの一面と第３の突出片３３ｃの一面との間に挟まれた状態で係合する。この構成により、部品点数を減らして同等の効果を生むことができる。
【００４８】
また、追加モジュール５０が外側電池蓋であってもよい。これにより、内側電池蓋３０を保護することができる。
【００４９】
また、係合部５４は、追加モジュール５０の周縁から追加モジュール５０の内側方向に突出した係合突条（第１の係合突条５４ａ）であってもよい。これにより、追加モジュール５０を、本体１０に容易かつ確実に固定することが可能となる。
【００５０】
また、筐体１１の一部が、筐体１１の周縁に形成された筐体凹部２１であり、内側電池蓋３０の一部が、内側電池蓋３０の周縁から突出した突出片３３であり、内側電池蓋３０が電池１３を直接カバーした状態において、筐体凹部２１の一面と突出片３３の一面とが隣接して連続面Ｘ−Ｘを形成し、筐体１１に追加モジュール５０が取り付けられた状態において、係合突条（第１の係合突条５４ａ）が連続面Ｘ−Ｘに係合するように構成してもよい。これにより、
【００５１】
また、係合部５４は、追加モジュール５０から追加モジュール５０の厚み方向に突出した係合突条（第２の係合突条５４ｂ）であってもよい。これにより、追加モジュール５０を、筐体１１の一部である筐体凹部２１と内側電池蓋３０の一部である突出片３３がなす連続面Ｘ−Ｘに容易かつ確実に固定することが可能となる。
【００５２】
また、筐体１１の一部が、筐体１１に形成された筐体凹部２１であり、内側電池蓋３０の一部が、内側電池蓋３０の周縁から突出した突出片３３であり、内側電池蓋３０が電池１３を直接カバーした状態において、突出片３３が筐体凹部２１の内部に収納され、筐体１１に追加モジュール５０が取り付けられた状態において、係合突条（第２の係合突条５４ｂ）が筐体凹部２１の一面と突出片３３の一面との間に挟まれた状態で係合するように構成してもよい。これにより、追加モジュール５０を、筐体１１の一部である筐体凹部２１と内側電池蓋３０の一部である突出片３３に容易かつ確実に固定することが可能となる。
【００５３】
また、内側電池蓋３０の周縁であって、電池１３の側に面した面には防水部材３５が設けられてもよい。これにより、電子機器１の防水性を向上させることができる。
【００５４】
また、本実施形態の電子機器１は、筐体１１と、筐体１１に収納された電池１３と、筐体１１に対し取り付け可能であって、電池１３をカバーする追加モジュール５０と、を備える電子機器１であって、筐体１１の一部が、筐体１１に形成された筐体凹部（第３の筐体凹部２１ｃ）であり、電池１３の周縁の一部が、外側方向に突出した突出片（第３の突出片３３ｃ）を構成し、追加モジュール５０の裏面には、追加モジュール５０の厚み方向に突出した係合突条（第３の係合突条５４ｃ）が設けられ、電池１３を筐体１１に収納した状態において、突出片（第３の突出片３３ｃ）が筐体凹部（第３の筐体凹部２１ｃ）の内部に収納され、筐体１１に追加モジュール５０が取り付けられた状態において、係合突条（第３の係合突条５４ｃ）が筐体凹部（第３の筐体凹部２１ｃ）の一面と突出片（第３の突出片３３ｃ）の一面との間に挟まれた状態で係合する。
【００５５】
また、本実施形態の電子機器１は、筐体１１と、筐体１１に収納された電池１３と、筐体１１に対し相対的に開閉可能に取り付けられるとともに、閉じ状態で電池１３をカバーする電池蓋（内側電池蓋３０）と、を備える電子機器１であって、電池蓋（内側電池蓋３０）は、筐体１１に設けられた二つの案内溝２２の各々に対し、回転かつ移動可能に係合する二つのヒンジ軸３１と、二つのヒンジ軸３１の間に設けられ、閉じ状態において、筐体１１の一部と密着する突状部３２と、を有し、電池蓋（内側電池蓋３０）のヒンジ軸３１は、閉じ状態から開き状態に遷移する過程において、および開き状態から閉じ状態に遷移する過程において、回転しながら案内溝２２の壁に摺動しつつ、案内溝２２の内部を移動する。
【００５６】
これにより、内側電池蓋３０が十分に開くことが可能となるとともに、取り外す部品を少なくすることができる。また、突状部３２が筐体１１の一部と密着するため、内側電池蓋３０が上に浮くのを防止することができる。
【００５７】
また、筐体１１の一部が、閉じ状態において突状部３２の一面に密着する凸部２３であってもよい。これにより、突状部３２が凸部２３と密着するため、内側電池蓋３０が上に浮くのを防止することができる。
【００５８】
また、電池蓋（内側電池蓋３０）のヒンジ軸３１は、閉じ状態から開き状態に遷移する過程において、および開き状態から閉じ状態に遷移する過程において、ヒンジ軸３１の回転軸方向に垂直な方向に移動するように構成してもよい。これにより、内側電池蓋３０が十分に開くことが容易に可能となる。
【００５９】
また、ヒンジ軸３１の回転軸方向に垂直な方向は、筐体１１の厚み方向と筐体１１の長手方向を含んでもよい。これにより、内側電池蓋３０が十分に開くことが容易に可能となる。
【００６０】
以上、図面を参照して本開示に係る電子機器の実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【産業上の利用可能性】
【００６１】
本開示の電子機器は、追加モジュールの取り付けが容易でかつ確実であり、防水性も確保された電子機器に有用である。
【符号の説明】
【００６２】
１  電子機器
１０  本体
１１  筐体
１２  表示部
１３  電池
１４  主面
１５  開口部
１６  垂直面
１７  傾斜面
１８  厚みを有する部品
１９  凹部
２０  第１の端子
２１  筐体凹部
２２  案内溝
２２ａ 案内溝の壁
２３  凸部
２４  挿入孔
３０  内側電池蓋
３１  ヒンジ軸
３２  突状部
３３  突出片
３５  防水部材
５０  追加モジュール
５１  平坦面
５２  起立面
５３  挿入片
５４  係合部（係合突条）
５５  接続面
５６  突出部
５７  防水部材
６０  第２の端子
Ｘ−Ｘ  連続面
【要約】
【課題】追加モジュールの着脱容易性を維持しながら、追加モジュールの装着後の係合を強化した電子機器を提供する。
【解決手段】電子機器１は、本体１０と、本体１０に着脱自在の内側電池蓋３０と追加モジュール５０とを備える。筐体１１の開口部１５に電池１３が収納され、主面１４から略垂直に起立する垂直面１６に凹部１９が形成され、凹部１９の内部に第１の端子２０が形成されている。追加モジュール５０には、垂直面１６と当接する接続面５５が形成され、接続面５５には、第１の端子２０と電気的に接続する第２の端子６０が形成されている。追加モジュール５０が本体１０に取り付けられた状態において、第２の端子６０が凹部１９の内部に位置し、かつ第１の端子２０に接続することにより、確実で強固な取り付けが行われる。
【選択図】図１１【図１】
0006048708.tif 000002
【図２】
0006048708.tif 000003
【図３】
0006048708.tif 000004
【図４】
0006048708.tif 000005
【図５】
0006048708.tif 000006
【図６】
0006048708.tif 000007
【図７】
0006048708.tif 000008
【図８】
0006048708.tif 000009
【図９】
0006048708.tif 000010
【図１０】
0006048708.tif 000011
【図１１】
0006048708.tif 000012
【図１２】
0006048708.tif 000013
【図１３】
0006048708.tif 000014
【図１４】
0006048708.tif 000015
【図１５】
0006048708.tif 000016